(57)【要約】【課題】複数同時に起動することができないメール編集プログラムによるメールの編集中に、そのメール編集プログラムによって他のメールの編集を一時的に優先して行う場合に、ユーザによる操作を簡易にすることができる携帯端末装置、メール管理方法及びメール管理プログラムを提供すること。【解決手段】本発明にかかる携帯端末装置は、メールを格納する記憶部５２と、メールを編集するメール編集プログラムを実行する実行部５１と、を備える。実行部５１は、メールを編集するためにメール編集プログラムを実行しているときに、他のメールを受信して、受信したメールに対する返信メールを編集する要求がユーザにより入力された場合には、当該メール編集プログラムによって編集中のメールを記憶部５２に格納し、同じメール編集プログラムによる返信メールの編集処理に移行する。【選択図】図１
2012068898.tif 000002
【特許請求の範囲】
【請求項１】
メールを格納する記憶部と、
メールを編集するメール編集プログラムを実行する実行部と、を備え、
前記実行部は、メールを編集するためにメール編集プログラムを実行しているときに、他のメールを受信して、受信したメールに対する返信メールを編集する要求がユーザにより入力された場合には、当該メール編集プログラムによって編集中のメールを前記記憶部に格納し、同じメール編集プログラムによる返信メールの編集処理に移行する
携帯端末装置。
【請求項２】
前記実行部は、前記返信メールの編集処理を終了した後に、当該返信メールを編集したメール編集プログラムと同じメール編集プログラムによる前記記憶部に格納されたメールの編集処理に移行する請求項１に記載の携帯端末装置。
【請求項３】
前記携帯端末装置は、
前記実行部によって、任意の内容が表示される表示部をさらに備え、
前記実行部は、前記返信メールの編集処理を終了した場合に、前記記憶部に格納されたメールの編集処理に移行するか否かを確認するメッセージを前記表示部に表示するとともに、前記ユーザから前記記憶部に格納されたメールの編集処理に移行する旨が入力された場合に、前記記憶部に格納されたメールの編集処理に移行する請求項２に記載の携帯端末装置。
【請求項４】
前記実行部は、前記ユーザから前記記憶部に格納されたメールの編集処理に移行しない旨が入力された場合、前記記憶部に格納されたデータを削除するか、又は、前記ユーザからの入力によって選択されたときに、前記記憶部に格納されたメールの編集処理に移行するショートカット表示を前記表示部に表示する請求項３に記載の携帯端末装置。
【請求項５】
前記携帯端末装置は、
前記実行部によって、任意の内容が表示される表示部と、をさらに備え、
前記実行部は、前記返信メールの編集処理に移行する場合に、前記編集中のメールを保存するか否かを確認するメッセージを前記表示部に表示するとともに、前記ユーザから前記編集中のデータを保存する旨が入力された場合に、前記編集中のデータを前記記憶部に格納する請求項１に記載の携帯端末装置。
【請求項６】
前記携帯端末装置は、
前記実行部によって、任意の内容が表示される表示部をさらに備え、
前記実行部は、前記ユーザからの入力によって選択されたときに、前記記憶部に格納されたメールの編集処理に移行するショートカット表示を、前記返信メールの編集処理に移行する場合に、前記表示部に表示する請求項１に記載の携帯端末装置。
【請求項７】
前記実行部は、前記ショートカット表示を表示するか否かを確認するメッセージを前記表示部に表示するとともに、前記ユーザから前記入力部に前記ショートカット表示を表示する旨が入力された場合に、前記ショートカット表示を前記表示部に表示する請求項６に記載の携帯端末装置。
【請求項８】
データを格納する記憶部と、
データを編集するための第１の処理と、当該第１の処理との同時実行が制限され、他のデータを編集するための第２の処理を実行する実行部と、を備え、
前記実行部は、前記第１の処理の実行中に、前記第２の処理の実行を開始する場合に、当該第１の処理によって編集中のデータを前記記憶部に格納し、当該第１の処理の実行を終了する
携帯端末装置。
【請求項９】
メールを編集するメール編集プログラムの実行を開始するステップと、
他のメールを受信するステップと、
前記受信したメールに対する返信メールを編集する要求のユーザからの入力を検出するステップと、
前記返信メールを編集する要求のユーザからの入力を検出した場合に、前記メール編集プログラムによって編集中のメールを記憶部に格納し、同じメール編集プログラムによる返信メールの編集処理に移行するステップと、
を備えた携帯端末装置のメール管理方法。
【請求項１０】
メールを編集するメール編集プログラムの実行を開始するステップと、
他のメールを受信するステップと、
前記受信したメールに対する返信メールを編集する要求のユーザからの入力を検出するステップと、
前記返信メールを編集する要求のユーザからの入力を検出した場合に、前記メール編集プログラムによって編集中のメールを記憶部に格納し、同じメール編集プログラムによる返信メールの編集処理に移行するステップと、
を携帯端末装置に実行させるメール管理プログラム。
【発明の詳細な説明】
【技術分野】
【０００１】
本発明は、携帯端末装置、メール管理方法及びメール管理プログラムに関する。
【背景技術】
【０００２】
現在、複数のアプリケーションプログラム(以下、「アプリケーション」とする)を同時に実行することができるマルチタスクの携帯端末装置が多数存在する。しかし、マルチタスクの携帯端末装置には、メモリやＣＰＵ(Central Processing Unit)等のハードウェアリソースの制約により、同一のアプリケーションを複数同時に起動することができないものが存在する。そのような携帯端末装置において、同一のアプリケーションを二重起動しようとした場合、先に起動しているアプリケーションを終了してから、後から起動しようとしたアプリケーションを起動する必要がある。
【０００３】
例えば、電子メール(以下、「メール」とする)を編集するメール編集アプリケーション(以下、「メール編集プログラム」とも言う)を複数同時に起動することができない携帯電話機がある。ユーザは、メールの編集中に、メールを受信して、受信したメールに対する返信メールを優先的に編集して送信したくなることがある。しかし、上述したような携帯電話機を使用している場合、ユーザは、編集中のメールを保存してアプリケーションを終了する操作をしてから、受信メール一覧から受信したメールを選択して、その選択した受信メールに対する返信メールを編集するためにメール編集アプリケーションを起動する操作をする必要があった。つまり、編集中のメールを保存しているので、後ほど編集中のメールを再編集することができるようにして、返信メールの編集をすることができるが、そのための操作が煩わしいものとなっていた。
【０００４】
このような操作を無くすために、メールの編集中に、メールを受信したときに、編集中のメールを破棄してメール編集アプリケーションを終了してから、返信メールを編集するメール編集アプリケーションを起動するようにすることも考えられる。しかし、破棄されてしまったメールの内容をユーザが再度編集し直す操作が必要となってしまうため、そのための操作が煩わしいものとなってしまう。
【０００５】
このように、複数同時に起動することができないメール編集アプリケーションによるメールの編集中に、そのメール編集アプリケーションによって他のメールの編集を一時的に優先して行う場合に、ユーザによる操作が煩雑となってしまっているという問題がある。特に、昨今、携帯端末装置におけるメールでのやり取りが増加してきている。また、メールの編集には、ある程度の時間を要するため、メールの編集中にメールを受信する状況も頻繁に発生するようになってきている。したがって、メール編集アプリケーションによるメールの編集中に、そのメール編集アプリケーションによって他のメールの編集を一時的に優先して行うケースも頻繁に発生するようになってきている。
【０００６】
また、このような問題は、同一のアプリケーションを複数同時に起動することができない携帯端末装置のみに限らず発生し得る。ハードウェアリソースの制約により、複数のアプリケーションを同時に起動することができない携帯端末装置でも同様の問題が発生し得る。例えば、ユーザは、画像／動画を編集する画像／動画編集アプリケーションによる画像／動画の編集中に、メールを受信して、ユーザが受信したメールに対する返信メールを優先的に編集して送信したくなることがある。上述したような携帯電話機を使用している場合、ユーザは、編集中の画像／動画を保存してアプリケーションを終了する操作をしてから、受信メール一覧から受信したメールを選択して、その選択した受信メールに対する返信メールを編集するためにメール編集アプリケーションを起動する操作をする必要があった。
【０００７】
このように、アプリケーションによるデータの編集中に、そのアプリケーションとの同時実行が制限されるアプリケーションによって他のデータの編集を一時的に優先して行う場合にも、ユーザによる操作が煩雑となってしまっているという問題がある。言い換えると、第１の処理によるデータの編集中に、その第１の処理との同時実行が制限される第２の処理によって他のデータの編集を行う場合に、ユーザによる操作が煩雑となってしまっているという問題がある。
【０００８】
特許文献１には、先のタスクでロードされたモジュールと同一モジュールが他のタスクでロードされた場合に発生する同一モジュールの衝突を防止する移動端末機が開示されている。しかし、特許文献１は、複数同時に起動することができないメール編集アプリケーションによるメールの編集中に、そのメール編集アプリケーションによって他のメールの編集を行う場合に、ユーザによる操作を簡易にすることができる技術を開示したものではない。
【先行技術文献】
【特許文献】
【０００９】
【特許文献１】特開２００７−１１５２５８号公報
【発明の概要】
【発明が解決しようとする課題】
【００１０】
背景技術として説明したように、第１の課題として、複数同時に起動することができないメール編集プログラムによるメールの編集中に、そのメール編集プログラムによって他のメールの編集を一時的に優先して行う場合に、ユーザによる操作が煩雑となってしまっているという問題がある。
【００１１】
また、第２の課題として、第１の処理によるデータの編集中に、その第１の処理との同時実行が制限される第２の処理によって他のデータの編集を一時的に優先して行う場合に、ユーザによる操作が煩雑となってしまっているという問題がある。
【００１２】
本発明の目的は、上述したような課題を解決するために、複数同時に起動することができないメール編集プログラムによるメールの編集中に、そのメール編集プログラムによって他のメールの編集を一時的に優先して行う場合に、ユーザによる操作を簡易にすることができる携帯端末装置、メール管理方法及びメール管理プログラムを提供することにある。
【課題を解決するための手段】
【００１３】
本発明の第１の態様にかかる携帯端末装置は、メールを格納する記憶部と、メールを編集するメール編集プログラムを実行する実行部と、を備え、前記実行部は、メールを編集するためにメール編集プログラムを実行しているときに、他のメールを受信して、受信したメールに対する返信メールを編集する要求がユーザにより入力された場合には、当該メール編集プログラムによって編集中のメールを前記記憶部に格納し、同じメール編集プログラムによる返信メールの編集処理に移行するものである。
【００１４】
本発明の第２の態様にかかるデータを格納する携帯端末装置は、記憶部と、データを編集するための第１の処理と、当該第１の処理との同時実行が制限され、他のデータを編集するための第２の処理を実行する実行部と、を備え、前記実行部は、前記第１の処理の実行中に、前記第２の処理の実行を開始する場合に、当該第１の処理によって編集中のデータを前記記憶部に格納し、当該第１の処理の実行を終了するものである。
【００１５】
本発明の第３の態様にかかる携帯端末装置のメール管理方法は、メールを編集するメール編集プログラムの実行を開始するステップと、他のメールを受信するステップと、前記受信したメールに対する返信メールを編集する要求のユーザからの入力を検出するステップと、前記返信メールを編集する要求のユーザからの入力を検出した場合に、前記メール編集プログラムによって編集中のメールを記憶部に格納し、同じメール編集プログラムによる返信メールの編集処理に移行するステップと、を備えたものである。
【００１６】
本発明の第４の態様にかかるメールを編集するメール編集プログラムの実行を開始するステップと、他のメールを受信するステップと、前記受信したメールに対する返信メールを編集する要求のユーザからの入力を検出するステップと、前記返信メールを編集する要求のユーザからの入力を検出した場合に、前記メール編集プログラムによって編集中のメールを記憶部に格納し、同じメール編集プログラムによる返信メールの編集処理に移行するステップと、を携帯端末装置に実行させるものである。
【発明の効果】
【００１７】
上述した本発明の各態様によれば、複数同時に起動することができないメール編集プログラムによるメールの編集中に、そのメール編集プログラムによって他のメールの編集を一時的に優先して行う場合に、ユーザによる操作を簡易にすることができる携帯端末装置、メール管理方法及びメール管理プログラムを提供することができる。
【図面の簡単な説明】
【００１８】
【図１】本発明の実施の形態１にかかる携帯電話機の概要となる携帯端末装置の構成図である。
【図２】本発明の実施の形態１にかかる携帯電話機の外観図である。
【図３】本発明の実施の形態１にかかる携帯電話機の構成図である。
【図４】本発明の実施の形態１にかかる携帯電話機の処理を示すフローチャートである。
【図５Ａ】本発明の実施の形態１にかかる携帯電話機の表示内容の遷移図である。
【図５Ｂ】本発明の実施の形態１にかかる携帯電話機の表示内容の遷移図である。
【図６】本発明の実施の形態２にかかる携帯電話機の処理を示すフローチャートである。
【図７Ａ】本発明の実施の形態２にかかる携帯電話機の表示内容の遷移図である。
【図７Ｂ】本発明の実施の形態２にかかる携帯電話機の表示内容の遷移図である。
【発明を実施するための形態】
【００１９】
本発明の実施の形態１．
まず、図１を参照して、本発明の実施の形態１にかかる携帯電話機の概要となる携帯端末装置５０について説明する。図１は、本発明の実施の形態１にかかる携帯電話機の概要となる携帯端末装置５０の構成図である。
【００２０】
携帯端末装置５０は、実行部５１及び記憶部５２を有する。
実行部５１は、メールを編集するメール編集プログラムを実行する。実行部５１は、メールを編集するためにメール編集プログラムを実行しているときに、他のメールを受信して、受信したメールに対する返信メールを編集する要求がユーザにより入力された場合には、メール編集プログラムによって編集中のメールを記憶部５１に格納する。そして、実行部５１は、同じメール編集プログラムによる返信メールの編集処理に移行する。
記憶部５２は、メールを格納する。
【００２１】
続いて、本発明の実施の形態１にかかる携帯電話機の概要となる携帯端末装置５０の処理について説明する。
実行部５１は、メールを編集するメール編集プログラムの実行を開始する。
携帯端末装置５０は、メールを送信されてきた場合、メールを受信する。
実行部５１は、受信したメールに対する返信メールを編集する要求のユーザからの入力を検出する。
実行部５１は、ユーザからの返信メールを編集する要求の入力を検出した場合に、メール編集プログラムによって編集中のメールを記憶部５２に格納する。そして、実行部５１は、同じメール編集プログラムによる返信メールの編集処理に移行する。
【００２２】
続いて、図２を参照して、本発明の実施の形態１にかかる携帯電話機１の外観について説明する。図２は、本発明の実施の形態１にかかる携帯電話機１の外観図である。
【００２３】
携帯電話機１は、ディスプレイ２、十字キー及び数字キー(以下、「十字・数字キー」とする)３及びマルチタスクキー４を有する。携帯電話機１は、複数のアプリケーションを動作させることが可能である。
【００２４】
ディスプレイ２は、任意の表示内容を表示する。ディスプレイ２は、例えば、プラズマディスプレイ、液晶ディスプレイ及び有機ＥＬ(Electro Luminescence)ディスプレイ等の表示装置である。ディスプレイ２は、表示部に対応する。
十字・数字キー３は、ユーザからの入力を受ける。
マルチタスクキー４は、ユーザからの入力を受ける。ユーザからマルチタスクキー４に対する入力が行われた場合、携帯電話機１は、ユーザからの操作対象となるアプリケーションを切り替える。以下、十字・数字キー３及びマルチタスクキー４を「キー」と言う。
【００２５】
続いて、図３を参照して、本発明の実施の形態１にかかる携帯電話機１の構成について説明する。図３は、本発明の実施の形態１にかかる携帯電話機１の構成図である。
【００２６】
携帯電話機１は、実行部１１、入力部１２、出力部１３、通信部１４及び記憶部１５を有する。
【００２７】
実行部１１は、メールを編集するメール編集アプリケーションを記憶部１５からロードして実行する。以降、単に「アプリケーション」と言った場合は、メールを編集するメール編集アプリケーションを意味する。実行部１１は、アプリケーションを実行している場合、入力部１２から出力された情報が示す入力内容に応じて、メールを編集する処理を実行する。実行部１１は、例えば、ＣＰＵ及びメモリを有し、記憶部１５からメモリにアプリケーションをロードして実行することによってメールを編集する処理を実行する。また、実行部１１は、アプリケーションの実行結果に応じて、ディスプレイ２への表示内容を示す情報を出力部１３に出力する。また、実行部１１は、編集したメールの編集内容を示す情報を通信部１４に出力する。実行部１１は、実行部５１に対応する。
【００２８】
入力部１２は、ユーザからキーに対して入力された入力内容を示す情報を実行部１１に出力する。つまり、実行部１１は、ユーザからキーに対して入力された入力内容を、入力部１２から出力された情報に基づいて認識する。
出力部１３は、実行部１１から出力された情報が示す表示内容をディスプレイ２に表示する。つまり、実行部１１は、任意の表示内容を示す情報を出力部１３に出力することによって、その表示内容をディスプレイ２に表示する。
【００２９】
通信部１４は、他の携帯端末装置やパーソナルコンピュータ等の情報処理装置との間でメールを送受信する。通信部１４は、基地局を介して、無線通信によってメールを送受信する。通信部１４は、メールを受信した場合に、受信したメールの内容を示す情報を実行部１１に出力する。通信部１４は、実行部１１から出力された情報が示す編集内容のメールを他の情報処理装置に送信する。つまり、実行部１１は、通信部１４から情報が出力されたことによって、メールを受信したことを認識する。また、実行部１１は、通信部１４から出力された情報に基づいて、受信したメールの内容を認識する。また、実行部１１は、通信部１４にメールの編集内容を示す情報を出力することによって、そのメールを他の情報処理装置に送信する。
【００３０】
記憶部１５は、アプリケーションが格納されている。また、記憶部１５は、実行部１１によって、ユーザが編集したメールが格納される。記憶部１５は、例えば、メモリ及びハードディスクドライブ等の記憶装置である。記憶部１５は、記憶部５２に対応する。
【００３１】
続いて、図４及び図５を参照して、本発明の実施の形態１にかかる携帯電話機１の処理について説明する。図４は、本発明の実施の形態１にかかる携帯電話機１の処理を示すフローチャートである。図５は、本発明の実施の形態１にかかる携帯電話機１の表示内容の遷移図である。なお、携帯電話機１の表示内容は、図５に例示される表示内容に限られない。
【００３２】
実行部１１は、ユーザからキーに対して、アプリケーションを起動する旨が入力された場合、アプリケーションを起動する。実行部１１は、ユーザからキーに対して、入力された入力内容でメールの編集を行う(Ｓ１１)。実行部１１は、メールの編集内容を示す編集画面をディスプレイ２に表示する(Ｓ１０１)。ここで表示される編集画面は、メールの編集内容と、ユーザからキーに対する入力によって選択されたときに、メールの編集を終了して、そのメールの送信を開始する送信ボタンを含む。このとき、メールは保存されておらず、編集中の状態が保たれている。
【００３３】
実行部１１は、通信部１４がメールを受信した場合、メールを受信したことを通知する内容をディスプレイ２に表示する(Ｓ１０２)。ここで表示される内容は、メールを受信したことを通知するメッセージと、「受信メールを参照する」か、「編集中のメールの編集作業に戻る」か、を選択させるメッセージとを含む。
【００３４】
ユーザからキーに対して、「受信メールを参照する」ことを選択する入力がされた場合、実行部１１は、受信メールの内容をディスプレイ２に表示する(Ｓ１０３)。ここで表示される内容は、受信メールの内容と、ユーザからキーに対する入力によって選択されたときに、受信メールに対する返信メールの編集が開始される返信ボタンを含む。なお、ユーザからキーに対して、「編集中のメールの編集作業に戻る」ことを選択する入力がされた場合、実行部１１は、編集中のメールの内容をディスプレイ２に表示し(Ｓ１０１)、メールの編集を継続する。つまり、実行部１１は、アプリケーションの実行を継続する。
【００３５】
ユーザからキーに対して、返信メールの編集を開始する返信ボタンを選択する入力がされた場合(Ｓ１２)、実行部１１は、現在実行中のアプリケーションによって編集中のメールを保存するか否かを確認するポップアップ表示をディスプレイ２に表示する(Ｓ１３)(Ｓ１０４)。ここで表示されるポップアップ表示は、「１．編集中のメールを保存して返信メールを編集する」か、「２．編集中のメールを破棄して返信メールを編集する」か、「３．編集中のメールの編集作業に戻る」か、を選択させるメッセージを含む。ここで、実行部１１がステップＳ１３を実行する条件は、返信メールの編集を開始する要求が入力された場合であれば、上述した返信メールの編集を開始するボタンが選択された場合に限られない。例えば、ユーザからマルチタスクキー４に対して、返信メールを編集するアプリケーションを起動する入力がされた場合であってもよい。
【００３６】
ユーザからキーに対して、「１．編集中のメールを保存して返信メールを編集する」ことを選択する入力がされた場合(Ｓ１３：Ｙｅｓ)、実行部１１は、編集中のメールを記憶部１５に保存する(Ｓ１４)。そして、実行部１１は、ステップＳ１６の処理を開始する。なお、記憶部１５には、編集中のメールの編集内容を示すデータが格納される。編集中のメールの編集内容を示すデータは、例えば、編集中のメールの編集内容を示すファイルである。
【００３７】
ユーザからキーに対して、「２．編集中のメールを破棄して返信メールを編集する」ことを選択する入力がされた場合(Ｓ１３：Ｎｏ)、実行部１１は、編集中のメールを削除する(Ｓ１５)。そして、実行部１１は、ステップＳ１８の処理を開始する。実行部１１は、例えば、自身が有するメモリに編集中のメールの編集内容を示すデータを格納している。そして、ステップＳ１５で、メモリからそのデータを削除する。
【００３８】
ユーザからキーに対して、「３．編集中のメールの編集作業に戻る」ことを選択する入力がされた場合(図示せず)、実行部１１は、編集中のメールを編集する処理を継続する。つまり、実行部１１は、ステップＳ１０１における編集画面を再度ディスプレイ２に表示する。
【００３９】
ステップＳ１６では、実行部１１は、保存したメールに対するショートカットを作成するか否かを確認するポップアップ表示をディスプレイ２に表示する(Ｓ１６)(Ｓ１０５)。ここで表示されるポップアップ表示は、編集中のメールを保存したことを通知するメッセージと、「１．保存したメールに対するショートカットを作成する」か、「２．保存したメールに対するショートカットを作成しない」か、を選択させるメッセージを含む。
【００４０】
ユーザからキーに対して、「１．保存したメールに対するショートカットを作成する」ことを選択する入力がされた場合(Ｓ１６：Ｙｅｓ)、実行部１１は、保存したメールに対するショートカットを作成する(Ｓ１７)。そして、実行部１１は、ステップＳ１８の処理を開始する。ここで、保存したメールに対するショートカットを作成した場合、ショートカットを作成した旨を通知するメッセージを含むポップアップ表示をディスプレイ２に表示する(Ｓ１０６)。また、実行部１１は、ユーザからキーに対する入力によって選択されたときに、記憶部１５に格納されたメールの編集が開始されるショートカット表示を待受画面に表示する。つまり、ユーザからキーに対して、ショートカット表示を選択する入力がされた場合、実行部１１は、記憶部１５に格納されたメールを編集するアプリケーションの実行を開始する。なお、ショートカット表示は、文字列やアイコン等の任意の形状の表示としてよい。また、ショートカット表示を表示する場所は、待受画面に限られない。メール編集アプリケーション及びその他のアプリケーションを起動中の画面に表示するようにしてもよい。
【００４１】
ユーザからキーに対して、「２．保存したメールに対するショートカットを作成しない」ことを選択する入力がされた場合(Ｓ１６：Ｎｏ)、実行部１１は、保存したメールに対するショートカットを作成せずに、ステップＳ１８の処理を開始する。
【００４２】
ステップＳ１８では、実行部１１は、ステップＳ１１において起動したアプリケーションの実行を終了して、返信メールの編集をするアプリケーションを起動する(Ｓ１８)。なお、実行部１１は、ステップＳ１１で起動されたアプケーションと同一のアプリケーションを記憶部１５からロードして実行する。実行部１１は、ユーザからキーに対して、入力された入力内容で返信メールの編集を行う。実行部１１は、返信メールの編集内容を示す編集画面をディスプレイ２に表示する(Ｓ１０７)。実行部１１は、ユーザからキーに対して、送信ボタンを選択する入力がされた場合、編集した返信メールを他の情報処理装置に送信する。実行部１１は、返信メールを送信した場合に、メールを送信した旨を通知するメッセージを含むポップアップ表示をディスプレイ２に表示する(Ｓ１０８)。
【００４３】
以上に説明したように、本実施の形態１では、実行部１１は、メールを編集するためにメール編集アプリケーションを実行しているときに、他のメールを受信して、受信したメールに対する返信メールを編集する要求がユーザによって入力された場合には、メール編集アプリケーションによって編集中のメールを記憶部１５に格納するようにしている。そして、実行部１１は、同じメール編集プログラムによる返信メールの編集処理に移行するようにしている。
【００４４】
これによれば、ユーザは、受信したメールに対する返信メールを編集する要求を入力するのみで、編集中のメールを保存しておくことができる。そのため、本実施の形態１によれば、複数同時に起動することができないメール編集アプリケーションによるメールの編集中に、そのメール編集アプリケーションによって他のメールの編集を一時的に優先して行う場合に、ユーザによる操作を簡易にすることができる。また、背景技術として説明したように、メール編集アプリケーションによるメールの編集中に、そのメール編集アプリケーションによって他のメールの編集を一時的に優先して行うケースが多数発生するようになってきていることに鑑みれば、携帯端末装置のメール操作における利便性を著しく向上することができる。
【００４５】
また、本実施の形態１では、受信したメールに対する返信メールを編集する要求がユーザによって入力された場合に、編集中のメールを記憶部１５に格納して、返信メールの編集処理に移行するようにしている。これによれば、ユーザの意図しないところで、編集中のメールが格納されてしまうことがなくなる。そのため、記憶部１５の記憶容量の消費を抑えることができる。
【００４６】
また、本実施の形態１では、実行部１１は、データを編集するための第１の処理を実行中に、第１の処理との同時実行が制限され、他のデータを編集するための第２の処理を実行する場合に、第１の処理によって編集中のデータを前記記憶部に格納し、第１の処理の実行を終了するようにしている、とも言うことができる。これによれば、ユーザは、他のデータを編集する要求を入力するのみで、編集中のデータを保存しておくことができる。そのため、第１の処理によるデータの編集中に、その第１の処理との同時実行が制限される第２の処理によって他のデータの編集を一時的に優先して行う場合に、ユーザによる操作を簡易にすることができる。
【００４７】
つまり、携帯端末装置５０は、データを格納する記憶部５２と、データを編集するための第１の処理の実行中に、第１の処理との同時実行が制限され、他のデータを編集するための第２の処理の実行を開始する場合に、第１の処理によって編集中のデータを前記記憶部に格納し、第１の処理の実行を終了する実行部５１と、を備えている、とも言うことができる。
【００４８】
また、本実施の形態１では、返信メールの編集処理に移行する場合に、編集中のメールを保存するか否かを確認するメッセージをディスプレイ２に表示するとともに、ユーザから編集中のデータを保存する旨が入力された場合に、編集中のデータを記憶部１５に格納するようにしている。これによれば、ユーザは、編集中のデータを保存するか否かを簡易な操作で選択して決定することができる。
【００４９】
また、本実施の形態１では、ユーザからの入力によって選択されたときに、記憶部１５に格納されたメールの編集処理に移行するショートカットを、返信メールの編集処理に移行する場合に、ディスプレイ２に表示するようにしている。これによれば、ユーザは、ショートカットを選択するという簡易な操作のみによって、メールの再編集をすることができる。
【００５０】
本発明の実施の形態２．
続いて、本発明の実施の形態２にかかる携帯電話機１について説明する。本発明の実施の形態２にかかる携帯電話機１の外観及び構成は、実施の形態１と同様であるため、説明を省略する。
【００５１】
続いて、図６及び図７を参照して、本発明の実施の形態２にかかる携帯電話機１の処理について説明する。図６は、本発明の実施の形態２にかかる携帯電話機１の処理を示すフローチャートである。図７は、本発明の実施の形態２にかかる携帯電話機１の表示内容の遷移図である。なお、携帯電話機１の表示内容は、図７に例示される表示内容に限られない。
【００５２】
実行部１１は、ユーザからキーに対して、アプリケーションを起動する旨が入力された場合、アプリケーションを起動する。実行部１１は、ユーザからキーに対して、入力された入力内容でメールの編集を行う(Ｓ２１)。実行部１１は、メールの編集内容を示す編集画面をディスプレイ２に表示する(Ｓ２０１)。このとき、メールは保存されておらず、編集中の状態が保たれている。
【００５３】
実行部１１は、通信部１４がメールを受信した場合、メールを受信したことを通知する内容をディスプレイ２に表示する(Ｓ２０２)。ここで表示される内容は、メールを受信したことを通知するメッセージと、「受信メールを参照する」か、「編集中のメールの編集作業に戻る」か、を選択させるメッセージとを含む。
【００５４】
ユーザからキーに対して、「受信メールを参照する」ことを選択する入力がされた場合、実行部１１は、受信メールの内容をディスプレイ２に表示する(Ｓ２０３)。ここで表示される内容は、受信メールの内容と、受信メールに対する返信メールの編集を開始する返信ボタンを含む。なお、ユーザからキーに対して、「編集中のメールの編集作業に戻る」ことを選択する入力がされた場合、実行部１１は、編集中のメールの内容をディスプレイ２に表示し(Ｓ２０１)、メールの編集を継続する。つまり、実行部１１は、アプリケーションの実行を継続する。
【００５５】
ユーザからキーに対して、返信メールの編集を開始する返信ボタンを選択する入力がされた場合(Ｓ２２)、実行部１１は、編集中のメールをテンポラリメモリに一時保存する(Ｓ２３)。このときに、実行部１１は、編集中のメールを一時保存した旨をユーザに通知するメッセージを含むポップアップ表示をディスプレイ２に表示するようにしてもよく(Ｓ２４)(Ｓ２０４)、そのポップアップ表示をディスプレイ２に表示しないようにしてもよい。テンポラリメモリは、編集中のメールを一時的に格納するメモリである。テンポラリメモリとして、実行部１１が有するメモリの一部を使用しても良く、記憶部１５の一部を使用してもよい。そして、実行部１１は、ステップＳ２１において起動したアプリケーションの実行を終了して、返信メールの編集をするアプリケーションを起動する。なお、実行部１１は、ステップＳ２１で起動されたアプケーションと同一のアプリケーションを記憶部１５からロードして実行する。
【００５６】
実行部１１は、ユーザからキーに対して、入力された入力内容で返信メールの編集を行う。実行部１１は、返信メールの編集内容を示す編集画面をディスプレイ２に表示する(Ｓ２０５)。実行部１１は、ユーザからキーに対して、送信ボタンを選択する入力がされた場合、編集した返信メールを他の情報処理装置に送信する。実行部１１は、返信メールを送信した場合に、メールを送信した旨を通知するメッセージを含むポップアップ表示をディスプレイ２に表示する(Ｓ２０６)。そして、実行部１１は、返信メールの送信が完了すると、返信メールを編集するアプリケーションの実行を終了する(Ｓ２５)。
【００５７】
返信メールを編集するアプリケーションの実行が終了した場合、実行部１１は、テンポラリメモリに一時保存された編集中のメールを再編集するか否かを確認するポップアップ表示をディスプレイ２に表示する(Ｓ２６)(Ｓ２０７)。ここで表示されるポップアップ表示は、「１．編集中のメールを再編集する」か、「２．編集中のメールを破棄して終了する」か、を選択させるメッセージを含む。
【００５８】
ユーザからキーに対して、「１．編集中のメールを再編集する」ことを選択する入力がされた場合(Ｓ２６：Ｙｅｓ)、実行部１１は、テンポラリメモリから編集中のメールを取得し、取得した編集中のメールの編集画面を表示する(Ｓ２７)(Ｓ２０１)。実行部１１は、ユーザからキーに対して、入力された入力内容でメールの編集を行う。実行部１１は、ユーザからキーに対して、送信ボタンを選択する入力がされた場合、編集した返信メールを他の情報処理装置に送信する。そして、実行部１１は、アプリケーションの実行を終了する(Ｓ２８)。なお、実行部１１は、返信メールを編集するアプリケーションの実行を終了したときに、ポップアップ表示(Ｓ２６)を表示せずに、編集中のメールの再編集を行うようにしてもよい(Ｓ３０)。
【００５９】
ユーザからキーに対して、「２．編集中のメールを破棄して終了する」ことを選択する入力がされた場合(Ｓ２６：Ｎｏ)、実行部１１は、テンポラリメモリに格納された編集中のメールを削除する(Ｓ２９)。なお、この場合に、編集中のメールをテンポラリメモリに格納したままとして、後で再編集を行うことができるようにしてもよい。また、その時に、そのメールへのショートカットを作成するようにしてもよい。
【００６０】
以上に説明したように、本実施の形態２では、実行部１１は、返信メールの編集処理を終了した後に、返信メールを編集したメール編集プログラムと同じメール編集プログラムによる記憶部１５に格納されたメールの編集処理に移行するようにしている。これによれば、返信メールを編集し終わった後に、ユーザが保存された編集中のメールを編集するアプリケーションを起動する操作をすることなく、編集中だったメールの再編集を行うことができる。そのため、複数同時に起動することができないメール編集プログラムによるメールの編集中に、そのメール編集プログラムによって他のメールの編集を行う場合に、ユーザによる操作をより簡易にすることができる。
【００６１】
なお、本発明は上記実施の形態に限られたものではなく、趣旨を逸脱しない範囲で適宜変更することが可能である。
【００６２】
本実施の形態では、本発明を携帯電話機に適用した場合について例示したが、本発明の適用対象はこれに限られない。例えば、携帯電話機、ＰＨＳ(Personal Handyphone System)及びＰＤＡ(Personal Digital Assistant)等の携帯端末装置のいずれに適用してもよい。
【００６３】
本実施の形態では、ユーザからの入力を受ける手段が、十字・数字キー及びマルチタスクキーである場合について例示したが、これに限られない。ユーザからの入力を受ける手段として、十字・数字キー、マルチタスクキー及びニューロポインター(登録商標)等の入力装置のいずれを適用してもよい。
【００６４】
本実施の形態では、複数同時に起動することができないメール編集アプリケーションによるメールの編集中に、そのメール編集アプリケーションによって他のメールの編集を行う場合について例示したが、これに限られない。本発明は、アプリケーションによるデータの編集中に、そのアプリケーションとの同時実行が制限されるアプリケーションによって他のデータの編集を行う場合にも適用することができる。つまり、同一のアプリケーションを複数同時に実行することができないマルチタスクの携帯端末装置に限られず、アプリケーションを複数同時に実行することができないシングルタスクの携帯端末装置にも適用することができる。ここでのアプリケーションは、データを編集するアプリケーションであれば、どのようなアプリケーションであってもよい。データを編集するアプリケーションには、例えば、メールを編集するメール編集アプリケーション、画像を編集する画像編集アプリケーション及び動画を編集する動画編集アプリケーション等が含まれる。
【００６５】
以上に説明した本発明にかかる携帯電話機は、上述の実施の形態の機能を実現するプログラムを、携帯端末装置又は携帯端末装置が有するＣＰＵ(Central Processing Unit)、ＭＰＵ(Micro Processing Unit)が実行することによって、構成することが可能である。
【００６６】
また、このプログラムは、様々なタイプの非一時的なコンピュータ可読媒体(non-transitory computer readable medium)を用いて格納され、携帯端末装置に供給することができる。非一時的なコンピュータ可読媒体は、様々なタイプの実体のある記録媒体(tangible storage medium)を含む。非一時的なコンピュータ可読媒体の例は、磁気記録媒体(例えばフレキシブルディスク、磁気テープ、ハードディスクドライブ)、光磁気記録媒体(例えば光磁気ディスク)、ＣＤ−ＲＯＭ(Read Only Memory）、ＣＤ−Ｒ、ＣＤ−Ｒ／Ｗ、半導体メモリ(例えば、マスクＲＯＭ、ＰＲＯＭ(Programmable ROM）、ＥＰＲＯＭ(Erasable PROM）、フラッシュＲＯＭ、ＲＡＭ(Random Access Memory））を含む。また、プログラムは、様々なタイプの一時的なコンピュータ可読媒体(transitory computer readable medium）によって携帯端末装置に供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムを携帯端末装置に供給できる。
【００６７】
また、携帯端末装置が上述の実施の形態の機能を実現するプログラムを実行することにより、上述の実施の形態の機能が実現される場合のみに限定されない。このプログラムが、携帯端末装置上で稼動しているＯＳ(Operating System)もしくはアプリケーションプログラムと共同して、上述の実施の形態の機能を実現する場合も、本発明の実施の形態に含まれる。さらに、このプログラムの処理の全てもしくは一部が携帯端末装置に挿入された機能拡張ボードや、携帯端末装置に接続された機能拡張ユニットによって行われて、上述の実施の形態の機能が実現される場合も、本発明の実施の形態に含まれる。
【００６８】
上記の実施形態の一部又は全部は、以下の付記のようにも記載されうるが、以下には限られない。
【００６９】
（付記１）メールを格納する記憶部と、メールを編集するメール編集プログラムを実行する実行部と、を備え、前記実行部は、メールを編集するためにメール編集プログラムを実行しているときに、他のメールを受信して、受信したメールに対する返信メールを編集する要求がユーザにより入力された場合には、当該メール編集プログラムによって編集中のメールを前記記憶部に格納し、同じメール編集プログラムによる返信メールの編集処理に移行する携帯端末装置。
【００７０】
（付記２）前記実行部は、前記返信メールの編集処理を終了した後に、当該返信メールを編集したメール編集プログラムと同じメール編集プログラムによる前記記憶部に格納されたメールの編集処理に移行する付記１に記載の携帯端末装置。
【００７１】
（付記３）前記携帯端末装置は、前記実行部によって、任意の内容が表示される表示部をさらに備え、前記実行部は、前記返信メールの編集処理を終了した場合に、前記記憶部に格納されたメールの編集処理に移行するか否かを確認するメッセージを前記表示部に表示するとともに、前記ユーザから前記記憶部に格納されたメールの編集処理に移行する旨が入力された場合に、前記記憶部に格納されたメールの編集処理に移行する付記２に記載の携帯端末装置。
【００７２】
（付記４）前記実行部は、前記ユーザから前記記憶部に格納されたメールの編集処理に移行しない旨が入力された場合、前記記憶部に格納されたデータを削除するか、又は、前記ユーザからの入力によって選択されたときに、前記記憶部に格納されたメールの編集処理に移行するショートカット表示を前記表示部に表示する付記３に記載の携帯端末装置。
【００７３】
（付記５）前記携帯端末装置は、前記実行部によって、任意の内容が表示される表示部と、をさらに備え、前記実行部は、前記返信メールの編集処理に移行する場合に、前記編集中のメールを保存するか否かを確認するメッセージを前記表示部に表示するとともに、前記ユーザから前記編集中のデータを保存する旨が入力された場合に、前記編集中のデータを前記記憶部に格納する付記１に記載の携帯端末装置。
【００７４】
（付記６）前記携帯端末装置は、前記実行部によって、任意の内容が表示される表示部をさらに備え、前記実行部は、前記ユーザからの入力によって選択されたときに、前記記憶部に格納されたメールの編集処理に移行するショートカット表示を、前記返信メールの編集処理に移行する場合に、前記表示部に表示する付記１に記載の携帯端末装置。
【００７５】
（付記７）前記実行部は、前記ショートカット表示を表示するか否かを確認するメッセージを前記表示部に表示するとともに、前記ユーザから前記入力部に前記ショートカット表示を表示する旨が入力された場合に、前記ショートカット表示を前記表示部に表示する付記６に記載の携帯端末装置。
【００７６】
（付記８）データを格納する記憶部と、データを編集するための第１の処理と、当該第１の処理との同時実行が制限され、他のデータを編集するための第２の処理を実行する実行部と、を備え、前記実行部は、前記第１の処理の実行中に、前記第２の処理の実行を開始する場合に、当該第１の処理によって編集中のデータを前記記憶部に格納し、当該第１の処理の実行を終了する携帯端末装置。
【００７７】
（付記９）前記第１の処理及び前記第２の処理は、同一のプログラムおける処理である付記８に記載の携帯端末装置。
【００７８】
（付記１０）前記第１の処理及び前記第２の処理は、異なるプログラムおける処理である付記８に記載の携帯端末装置。
【符号の説明】
【００７９】
１        携帯電話機
２        ディスプレイ
３        十字・数字キー
４        マルチタスクキー
１１、５１    実行部
１２        入力部
１３        出力部
１４        通信部
１５、５２    記憶部
【図１】
2012068898.tif 000003
【図２】
2012068898.tif 000004
【図３】
2012068898.tif 000005
【図４】
2012068898.tif 000006
【図５Ａ】
2012068898.tif 000007
【図５Ｂ】
2012068898.tif 000008
【図６】
2012068898.tif 000009
【図７Ａ】
2012068898.tif 000010
【図７Ｂ】
2012068898.tif 000011